(57)【特許請求の範囲】
【請求項１】
固定された歯科用補綴物のための骨内単一義歯インプラントであって、
ａ．顎骨内の穿孔内に挿入可能であり、環状凹部（１６）及び穿孔（１２）を有し、冠状の端部に向かって開き、環状凹部（１６）へ先端方向に配置され、留めねじを固定するために基体内の先端部に配置されるねじ部（１４）を有する、実質的に円筒形状の基体（１０）であり、前記環状凹部（１６）は、誘導部（１８）、前記誘導部（１８）に冠状方向に配置される適合部（２０）、及び前記適合部（２０）に冠状方向に配置される端部（２２）を有する前記基体（１０）、
ｂ．前記基体の凹部（１６）内に挿入可能な隣接部（５０）は、適合部（５６）、誘導部（５４）、端部（５８）、前記留めねじを収容するための穿孔、及び前記歯科用補綴物のための固定ヘッド（６６）を有し、並びに
ｃ．前記基体（１０）の前記穿孔内に挿入可能であり、かつ、前記隣接部を横断する留めねじ（７０）を有し、
前記基体（１０）の適合部（２０）及び前記隣接部（５０）の適合部（５６）は、形状において、互いに相補い、
前記基体（１０）の適合部（２０）は、円周方向に作動する少なくとも１つの基体適合要素（２６）を有し、前記隣接部（５０）の適合部（５６）は、前記基体適合要素（２６）の形状と相補う少なくとも１つの隣接適合要素（５２）を有し、
前記隣接部（５０）は、各適合要素（２６；５２）が相互に係合する様に、前記基体（１０）の環状凹部（１６）内に挿入可能であり、
互いに相補う前記適合要素（２６；５２）は、溝及びトングが接続した前記隣接部（５０）の適合溝（５２）に構成されるのを補う、半径方向に内側に向かう２〜６個のトングバー（２６）の形態により構成され、
前記相補う適合要素（２６；５２）に加えて、円周方向に作動する２〜６個のねじ込み式要素（３０）は、前記基体（１０）の適合部（２０）の内側の多角面状におけるねじ込み式工具の係合のために、設けられる、骨内単一義歯インプラント。
【請求項２】
３つまたは４つの円周方向に作動する前記ねじ込み式要素（３０）の各々は、前記基体（１０）内の内側の多角面状に設計される、請求項１に記載の骨内単一義歯インプラント。
【請求項３】
円周方向に作動する前記ねじ込み式要素（３０）の各々は、前記基体（１０）内の適合要素と交互に円周方向に配置される、請求項１または２に記載の骨内単一義歯インプラント。
【請求項４】
前記基体（１０）の前記適合部（２０）は、中が空洞の円錐台状に形成され、前記中が空洞の円錐台の縦軸は、前記基体の縦軸と同軸であり、かつ、前記隣接部（５０）は、前記中が空洞の円錐台に対応する円錐台を有する、または、前記基体（１０）の前記適合部（２０）は、中が空洞の円筒形状に形成され、前記中が空洞の円筒形状の縦軸は、前記基体の縦軸と同軸であり、かつ、前記隣接部（５０）は、前記中が空洞の円筒形状に対応する外側の円筒形状部分を有する、請求項１〜３の何れか一項に記載の骨内単一義歯インプラント。
【請求項５】
前記トングバー（２６）は、前記基体の空洞から機械的または電気化学的に切除された棒の形態を有する、請求項１〜４の何れか一項に記載の骨内単一義歯インプラント。
【請求項６】
前記トングバー（２６）は、穿孔内または溝内に保持されたピン（２４）の形態を有する、請求項４に記載の骨内単一義歯インプラント。
【請求項７】
前記基体及び前記隣接部の前記円周に関して互いに相補う前記適合要素は、調整された角度の間隔を有する、請求項１〜６の何れか一項に記載の骨内単一義歯インプラント。
【請求項８】
雌型適合要素の数は、雄型適合要素の数よりも多い、請求項１〜７の何れか一項に記載の骨内単一義歯インプラント。
【発明の詳細な説明】
【技術分野】
【０００１】
本願発明は、請求項１の特徴を有する固定された歯科用補綴物のためのエノスザールな単一義歯移植（インプラント）に関する。
【背景技術】
【０００２】
ドイツ特許第４０２８８５５Ｃ２号明細書から公知であり、また、ドイツ特許第１９５０９７６２号明細書の第９〜３２頁の主題からも公知な単一義歯移植では、スペーサスリーブのセンタリングカラー用の前端部上において相補う、基体の環状凹部及びスペーサスリーブ適合要素に基づき、基体適合要素が提供されることにより、回転防止保護部は提供される。この様な適合要素を製造することが相対的に難しい製造期間においては、幾つかの場合には、上記基体に対して上記スペーサスリーブをセンタリング、据え付け、及び固定するために環状シート／センタリングカラーの全深さを利用することができないことは、特に不利益となる。
【０００３】
また、別の義歯移植においても同様に、ドイツ特許第３７３５３７８号明細書に開示される様に、本発明においても、基体の適合要素が、上記基体の止まり穴内において、上記基体の冠状の先端から離れた位置にあるという事実に起因して、同様の問題が発生する。
【０００４】
ドイツ特許第４１２７８３９Ａ１号明細書に開示の移植基体では、該移植基体の中央の環状凹部は、上記基体の冠状の先端に直接隣接する適合要素を有する。該適合要素は、溝状に形成され、かつ、基体本体内に挿入される保持要素は、上記適合要素に対して相補う形状を有する。移植柱は分離しないことが予測される。
【０００５】
ドイツ特許第１９５３４９７９Ｃ１号明細書に開示の移植基体では、基体の適合要素は、相補う隣接適合要素に対応する配置及び構成を有する、上記基体の冠状の先端に直接接続して配置される。上記基体の環状凹部の全深さを上記隣接部のセンタリング及び誘導（ガイド）のために利用可能であるため、上記適合要素の分類及び設計の種類の観点から、より優れた設計の融通性との関連において、スペーサスリーブ及び基体間の接続安定性は、大幅に改善される。
【０００６】
国際公開第２０１３／０８３１２５号において公知である、固定された歯科用補綴物のためのエノスザールな単一義歯移植では、上記歯科用補綴物は、適合部を有する環状凹部を有する基体、及び該基体の凹部内に挿入可能な隣接部を有する。相補う適合要素は、上記基体及び隣接部上に設けられ、雄部品及び雌部品が接続される形態に設計される。
【０００７】
上記国際公開第２０１３／０８３１２５号において既に公知であるエノスザールな単一義歯移植は、非常に良好な回転防止保護部を提供するものであるが、本願発明は、以下の点において、上記従来技術に係る移植を更に発展させるものである。本願発明は、上記基体内の隣接部の誘導及びセンタリングを同一化して製造工程を簡易化し、特に、移植作業者にとって困難な状況下においても、顎骨内に基体をねじ込んで確実に固定可能とする。
【先行技術文献】
【特許文献】
【０００８】
【特許文献１】ドイツ特許第４０２８８５５Ｃ２号明細書
【特許文献２】ドイツ特許第１９５０９７６２号明細書
【特許文献３】ドイツ特許第３７３５３７８号明細書
【特許文献４】ドイツ特許第４１２７８３９Ａ１号明細書
【特許文献５】ドイツ特許第１９５３４９７９Ｃ１号明細書
【特許文献６】国際公開第２０１３／０８３１２５号
【発明の概要】
【０００９】
本願発明によれば、上記種類のエノスザールな単一義歯移植を更に発展させるというタスクは、請求項１の特徴の組み合わせによって解決される。本願発明に係る実施形態の特別な形態は、従属項の主題である。
【００１０】
そのために、本願発明に係る単一義歯移植は、基体、基体及び該基体を貫通する留めねじ内に挿入可能な隣接部、並びに、上記基体に関して上記隣接部の位置を決定し、かつ、上記基体の先端部に設けられたねじ部内へ螺合される隣接部を有する。
【００１１】
上記基体は、上記隣接部を挿入可能な環状凹部を有する。該環状凹部は、該環状凹部の先端部に有る誘導（ガイド）部、円筒形状または円錐形状を採り得る適合部、及び上記隣接部の対応部分と大きさが相補う様に適合する冠状部を有する。
【００１２】
患者の顎骨内に上記基体をねじ込み固定することができる様に、上記顎骨内における穿孔の直径または角度が正確に一致しない場合であっても、上記基体の３つの部分の内の１つにおいて、適正な回転力（トルク）を上記基体に付与することができる。上記適合部内の適合要素に加えて、以降単にねじ込み式要素として参照される適合ねじ込み式要素が設けられる。上記ねじ込み式要素は、例えば、適合するツールヘッドを有するねじ込み式ビット（ドリルの案内穴）等のねじ込み式工具（ツール）の挿入後において、上記基体上のねじ込み式要素、及び上記ねじ込み式工具上のねじ込み式要素の間に、ぴったり適合する。該適合は、例えば、雄部品と雌部品が連結する形態により実現され、これにより、上記基体を、上記顎骨内に螺合することができる。
【００１３】
上記基体を上記顎骨内に螺合してねじ込み式工具を除去した後、上記隣接部は、上記基体内に挿入及び位置合わせ可能となる。上記基体及び隣接部上の適合要素、並びに、雄部品と雌部品が連結した形態の少なくとも一組は、互いに係合可能となり、その結果、上記基体及び隣接部は、相互に留め付けられる。その後、上記基体及び隣接部は、互いの相対位置において、上記留めねじにより固定される。
【００１４】
上述した様に、本願発明に係る設計によれば、上記基体は、従来技術に係る実施形態と比較して増加した回転力を有するねじ込み式要素内に係合するツールを用いて、上記顎骨内において、ねじ込み式要素と螺合可能となる。上記ねじ込み式要素は、上記３つの部分（上記環状凹部の先端部上のセンタリング部／誘導部、上記適合部、及び冠状の端部）の各々に設けることができるが、上記ねじ込み式要素は、好適には、上記適合部内に配置される。該適合部は、先端誘導部及び冠状の端部間において、円筒形状または円錐形状を採ることができる。円筒形状の適合部は、上記誘導部の直径を、上記端部の直径まで増加させる。また、上記円筒形状の適合部は、上記隣接部上の円錐台が対応する中が空洞の円錐台の形態により、上記基体上に形成される。原則として、上記基体の適合部は、中が空洞の円筒形状を採ることができる。この場合、少なくとも１つの適合要素、及び少なくとも１つのねじ込み式要素は、異なる平面上に存在し得る。
【００１５】
上記適合部の領域において、ねじ込み式要素は、上記基体上に円周方向に配置される。上記ねじ込み式要素は、好適には、上記隣接部上の適合要素と係合可能な上記基体上の適合要素間に配置され、好適には交互に配置される。また、上記ねじ込み式要素は、好適には、ねじ込み式工具の利用により、上記基体上のねじ込み式要素及びねじ込み式工具間においてのみぴったり合う様に設計される。このため、上記基体上の適合要素は、上記ねじ込み式工具により損傷を受けることがない。
【００１６】
従って、本実施形態では、上記隣接部上の適合要素、及び上記基体上のねじ込み式要素は、挿入された上記隣接部により、上記隣接部上の適合要素、及び上記基体上のねじ込み式要素間が非接触となる様に、設計される。これにより、上記隣接部上の適合要素に対する損傷を無くすことができる。
【００１７】
上記ねじ込み式要素に関し、上記基体上への雄部品の配置、及び上記ねじ込み式工具上への雌部品の配置、あるいはその反対の配置が可能である。上記ねじ込み式工具上に配置された雄部品、及び上記基体上に配置された雌部品を有する実施形態が好適である。上記ねじ込み式要素の各々は、上記基体上に凹部状に設計することができ、上記ねじ込み式工具上には、上記凹部内に係合する突出部（ノーズ）または突起が形成される。上記基体上の適合部内には、少なくとも１つの凹部、特に２〜６個の凹部が設けられることが好ましい。また、上記凹部は、アレンキー（多角レンチ）の三角形、四角形、または六角形との間で内側外側の組み合わせが可能となる様に、上記基体及びねじ込み式工具上に、多角面として設計することができる。ここで、上記基体上の内側の三角形、及び上記ねじ込み式工具上の相補う外側の三角形を設けることは、内側の三角形の面間の基体上周辺において、上記隣接部上の溝に適合する様に設計された、３つの適合要素が交互に、特にトングバー（舌状連尾）の様に配置可能となるため、特に有益である。
【００１８】
従って、上記適合部の凹部、並びに基体及び隣接部の適合要素において、回転防止保護部としての後者は、上記適合部周辺において、ねじ込み式要素並びに基体及び隣接部の適合要素が、好適にはぴったり適合して具備可能な様に配置することができる。
【００１９】
例えば、上記基体上において、２つから６つ、特に３若しくは４つの凹部または内側多角面は、２つの各ねじ込み式要素の間の１つの基体適合要素と共に、ねじ込み式要素として提供される。適合要素は、好適には、上記隣接部の位置合わせを可能とする数量だけ、上記基体適合要素に対応する隣接部上に設けられる。上記基体上に、２、３または４つの基体適合要素が存在する場合、これに対応して上記隣接部上にも、例えば、ちょうど同数の適合要素、またはその整数倍の適合要素、例えば、２、３、４、６、８、９若しくはそれ以上の適合要素が、設けられるものとしてもよい。
【００２０】
このため、本願発明の実施形態の好適な態様は、上述した様に、基体、隣接部、及び留めねじを有する、固定された歯科用補綴物用の単一義歯移植である。ここで、上記基体及び隣接部の各々は、相互に相補う誘導部、適合部、及び端部を有する。また、上記適合部は、ねじ込み式工具が係合する２つから６つの内側多角面を、上記基体上に有する。好適には、相互に補完する１つのトングバー、及び２つから６つのトングバーが交互に配置され、かつ、上記基体上の適合要素、これとちょうど同数の溝またはその整数倍の溝、及び上記隣接部上の適合要素が、設けられる。上記適合部においては、上記ねじ込み式要素及び上記トングバーは、上記適合部内の１つの平面上または２つ以上の平面内に、交互に設けられるものとしてもよい。
【００２１】
本願発明に従い、上記基体の適合部及び上記隣接部の適合部は、その形状において互いに合致する。このため、上記隣接部は、関連性のある適合要素が互いに係合可能となり、その結果、円周方向への運動が抑制される様に、上記基体内に挿入可能となる。上記適合部の各々は、上記環状凹部または穿孔の、中が空洞の円錐台状または中が空洞の円筒形状の部分として、設計することができる。上記環状凹部または穿孔は、直径の異なる部分を上記基体内に含み、上記隣接部の外側の円筒形状部分またはその複数の部分に対応する。本願発明に係る上記要素に関する以下の記載は、特に明記しない限り、本実施形態の全ての態様に適用される。
【００２２】
上記基体内の誘導部は、上記基体の先端部内の留めねじ用のねじ部に接触する。少なくとも１つ、特に２〜６つ、特に３または４つのねじ込み式要素、及び少なくとも２、３または４つの基体及び隣接部の適合要素が内部に設けられた適合部は、上記誘導部に対して冠状方向に配置される。密閉要素を上記基体及び上記隣接部間に設けることのできる端部は、冠状方向に更に配置される。上記密閉要素は、上記基体及び上記隣接部の溝内に配置された弾性シールの形態に設計することができる。
【００２３】
上記誘導部、適合部、及び端部の軸長は、誘導及び適合が確保され、かつ、例えば、円錐または密封剤により上記基体及び隣接部が相互に密閉し合う様に、決定される。上記誘導部及び端部の双方は、上記適合部よりも長くてもよい。上記誘導部及び上記適合部の軸長の合計は、好適には、上記端部の長さよりも長い。上記誘導部の軸長は、上記端部の軸長より短くても、等しくても、長くてもよい。上記誘導部が上記端部よりも長い場合には、上記誘導部は、最初の誘導機能を有する。
【００２４】
本願発明に従い、上記隣接部及び基体は、上記誘導部及び端部を介して、パイプインパイプの実装方式により組み立てられるため、上記適合部の両側上の軸方向に設けられた、好適には円筒形状の部分（誘導部及び端部）は、留めねじを用いて、上記隣接部を上記基体内に、確実かつ安定的に固定可能とする。上記基体内の上記誘導部及び端部の半径方向の内径、及びこれに応じた上記隣接部内の外径は、上記顎骨内に移植が行われる時に、咀嚼工程を経由して移植の圧力が側方または角度方向から加わる場合に、上記基体内の壁の厚さが該基体の壁の変形を防ぐのに十分である様に、選択される。上記環状凹部の領域内における上記基体の壁の厚さは、上記誘導部内の上記内径の３０％〜５０％であり、かつ、上記端部内の上記内径の１０％〜２０％であってもよい。
【００２５】
本願発明に係る実施形態の一態様では、上記基体の適合部は、中が空洞の円錐台として設計することができる。本態様においては、上記隣接部の適合部は、上記中が空洞の円錐台に対応する円錐台として、構成される。
【００２６】
本実施形態の上記態様では、上記基体の適合部は、径の小さい球状面（覆い面）及び径の大きい球状面（底面）を有する、中が空洞の円錐台状である。該中が空洞の円錐台の縦軸は、上記基体の縦軸と同軸上に配置される。上記球状面は、上記中が空洞の円錐台を規定し、径の大きい球状面は、上記基体の冠状の端部に面する。
【００２７】
上記ねじ込み式要素を有する上記基体の発明に係る設計に起因して、該基体は、従来技術と比較して増加された回転力によりねじ要素内に係合する工具（ツール）を用いて、上記顎骨内に螺合可能である。上記基体内への挿入後は、上記隣接部は、回転しない様に確実に固定される。
【００２８】
本願発明に従い、上記基体及び隣接部上で相補う適合要素の各々は、雄部品と雌部品が連結する形態により構成される。１つまたは複数の上記雄部品は、好適には、上記基体上に配置される。上述した様に選択された配置の結果として、上記基体の壁の厚さの減少が回避されるため、セラミック材料を用いる場合でも、精度の高い力伝達が可能となる。このため、周知の金属や合金材料に加えて、全体または部分的にセラミックを用いて、基体及び／または隣接部を構成することができる。しかしながら、雄部品は、上記隣接部の適合部、及び上記基体上の対応する雌部品上に、配置されることも可能である。
【００２９】
本願発明によれば、上記雄型適合要素は、上記基体の縦軸に平行に延在すると共に、回転しない様に固定された他の構成要素上の対応する雌型要素に係合するトングバーの形態を有するものとしてもよい。上記適合要素は、基体及び隣接部の部品から、例えば、フライス加工、穴開け（ドリル）加工等の機械的な加工により、製造することができる。
【００３０】
上記適合部は、円筒形状に、または好適には円錐形状に、設計することができる。円筒形状の実施形態では、上記隣接部上の適合部は、長さ及び径において、上記基体上の中が空洞の円筒形状の穿孔に適合する外径を有する、円筒形状の部分状に構成される。
【００３１】
上記基体上の中が空洞の円錐台、及び上記隣接部上の円錐台としての上記適合部の実施形態では、上記基体または隣接部上の配置に依存して、上記トングバーが、上記基体または隣接部の縦軸周辺に半径方向に起こされ、かつ、上記円錐台または中が空洞の円錐台の長径方向に向かってくさび状に、軸方向に延在し、かつ、上記円錐台を閉じる大きな球状面の直径を増加させない様に、少なくとも１つのトングバーが設計可能である。このため、上記トングバーの半径方向の高さは、上記円錐台または中が空洞の円錐台を閉じる球状面の半径間における差に対し、少ない隙間で最大限に対応する。
【００３２】
本願発明によれば、この様なトングバーは、止まり穴（保持穿孔）内に保持されるピンの形状であってもよい。上記止まり穴は、上記ねじ部に平行な領域に合致する上記基体内または上記隣接部内において、上記雄部品及び雌部品の相対的な長さに依存して、上記中が空洞の円錐台または円錐台の円錐形状の領域内の上記基体の長手方向の中間軸と同軸上に形成される。上記中が空洞の円錐／円錐台上の円錐形状の表面に起因して、各々のピンは、上記保持穿孔の反対側の端部に向かって減少する横断面を有する溝内において、少なくとも部分的に誘導され、これにより、上記トングバーは、一種のくさび形状となる。上記適合部内の壁の厚さを可能な限り厚くするために、上記ピンまたは溝を収容するための止まり穴は、上記基体内または上記隣接部内の上記雄部品及び雌部品の相対的な長さに依存して、上記穿孔の円周方向線が、上記先端部において上記球状面の円周方向線に対し、接線方向に接する様に、または、上記穿孔が、上記先端部において上記球状面内に部分的に配置される様に、配置される。
【００３３】
上記ピンの各々は、好適には、円形または正多角形若しくは非正多角形の断面を有するものとしてもよい。上記断面に関し、横断面の部分は、上記雄部品及び雌部品の相対的な長さに依存して、上記円錐形状の壁内の溝から、上記基体または隣接部の長手方向の中間軸の方向へ向かって、半径方向に突出する。また、上記ピンは、上記適合部の最大軸長を越えて上記トングバーを形成するものとしてもよい。最も簡易な態様では、ピンは、管状の形状を有し、伸線機により製造することができる。上記ピンは、上記隣接部または基体の素材よりも高い強度の素材から、製造することもできる。
【００３４】
上記ピンを軸方向に固定するために、各々のピンは、圧入により、上記止まり穴内に適合／挿入することができる。
【００３５】
本願発明に従い、本実施形態は、例えば、フライス加工等の機械的な加工を施した上記基体、並びに、内側の多角面、及び上述の方法により製造されるトングバーから、上記ねじ込み式要素及び適合要素を製造することができるという、特別な効果を奏する。
【００３６】
上記適合要素は、その周辺の異なる位置に上記隣接部を挿入可能とするために、上記隣接部及び基体の円周を角度により分割するものとしてもよい。これにより、例えば、１５、３０、４５、６０、９０、１２０、または１８０度等の角度分割により、上記基体内の様々な位置に、上記隣接部を挿入することが可能となる。加えて、雌型適合要素の数は、再分割の数に応じて、雄型適合要素の数と同一であってもよいし、またはより大きい数、例えば、２倍若しくは３倍等であってもよい。上記基体上の例えばピンの様な１つの適合要素を、上記隣接部上の例えば溝の様な１つ〜６つの適合要素と組み合わせることが好ましい。あるいは、これに対応して、上記基体上の２つの適合要素、及び上記隣接部上の２つ、４つ若しくは６つの適合要素の組み合わせ、上記基体上の３つの適合要素、及び上記隣接部上の３つ若しくは６つの適合要素の組み合わせ、または、上記基体上の４つの適合要素、及び上記隣接部上の４つ若しくは８つの適合要素の組み合わせが好ましい。上記適合要素の各々は、上記円周の周辺に、規則的な間隔により配置される。
【００３７】
本願発明の一実施形態に係る適合部では、上記隣接部は、上記基体のピンのための支持カラー（襟部）を有するものとしてもよい。上記隣接部を上記基体内に挿入する際、上記ピンは、その冠状端部と共に、少なくとも部分的に上記支持カラーの上に載置されるものとしてもよい。上記支持カラーの幅は、上記ピンの直径に最大限に対応するものとしてもよいが、特に、上記ピンの半径に近似的に対応するものとしてもよい。また、半径方向の位置合わせのために上記隣接部を回転させる際、上記移植作業者により規定される上記隣接部は、上記適合部の溝に係合するものとしてもよい。
【００３８】
上述した様に、上記隣接部側において、異物及び流体が上記移植義歯の空洞内へ侵入するのを防止するために、例えばＯリングの様な密閉手段は、上記患者への移植義歯の挿入後に、上記端部内の円周に沿った溝の中に順々に設けられるものとしてもよい。必要に応じて、例えばＯリングの様な密閉手段は、追加的または代替的に、上記基体側の溝の中にも配置することができる。但し、後者（代替）はあまり好ましくない。
【００３９】
内側のねじ山は、上記移植柱／留めねじのために、上記基体の適合部及びセンタリング部の先端方向の上記止まり穴内に設けられるものとしてもよい。また、上記留めねじは、上記隣接部を完全に横断するものとしてもよい。
【００４０】
また、本願発明は、本願発明に係る移植技術の個々の構成要素としての基体及び隣接部にも関連し、これらの基体及び隣接部は、全般的に、上記移植のための詳細な上記実施形態に従って、設計されるものである。
【００４１】
また、上記要素、上記移植においてねじ込むための要素、並びに、上記基体及び隣接部の位置を相互に固定するための適合要素が、機能として互いに分離し、かつ、上記適合要素が、上記基体を上記顎骨内にねじ込むための構成を採らないことも、本願発明の本質的な側面である。更に、本願発明は、上記構成要素の機械的な加工を簡易化することに加えて、従来技術において周知の方式とは異なり、上記基体及び隣接部の各々が、センタリング部及び誘導部において上述の溝及びトングが接続された形態で、対応する適合要素と共に製造されることにより、上記移植義歯を顎骨内に挿入する時、かつ、咀嚼工程における上記顎骨の使用中に、均衡のとれた機械的安定性を実現することを可能とする。同時に、従来技術において周知の解決手段と比較して、基体及び隣接部の空洞化処理は、非常に簡易化され、費用効率がより向上する。
【００４２】
以下に、本願発明の実施形態に係る単一義歯移植の実施例及びその構成要素について、概略的な図面を参照しながら、詳細に説明する。これらの図面において：
【００４３】
図１〜図５は、基体及び隣接部を有する、本願発明に係る単一義歯移植の実施形態の第１の態様を示す；
【００４４】
図６〜図１０は、内側が多角形状の基体、及び隣接部を有する、本願発明に係る単一義歯移植の実施形態の第２の特に好適な態様を示す；
【００４５】
図１１は、本願発明に係る単一義歯移植における基体を上記顎骨内にねじ込むためのねじ込み式工具の実施形態の一例を示す。より詳細には：
【図面の簡単な説明】
【００４６】
【図１】図１は、その左上部分において、本願発明に係るエノスザールな単一義歯移植における好適な基体の実施形態の一例を示すと共に、右上に示す平面に沿った長軸方向の基体断面を示し、その下方部分において、上方から見た上記基体を示す図である；
【図２】図２は、図１の上記基体に適合する上記単一義歯移植における隣接部の実施形態の一例を上方向から示す、図１に対応する図、並びに、上記隣接部を上方から見た図（下の図）及び下方から見た図（上の図）に加えて、前の図に対して直角の平面における長手方向の断面図である；
【図３】図３は、上記単一義歯移植における隣接部の図２に示す実施形態の一例の変形態様を示す、図１に対応する図、並びに、上記隣接部を環状に上方から見た図（下の図）及び先端方向に下方から見た図（上の図）に加えて、前の図に対して直角の平面における長手方向の断面図である；
【図４】図４は、上記単一義歯移植における隣接部の図２に示す実施形態の一例の更なる変形態様を示す、図１に対応する図、並びに、上記隣接部を上方から見た平面図（下の図）及び下方から見た平面図（上の図）に加えて、前の図に対して直角の平面における長手方向の断面図である；
【図５】図５は、本願発明に係るエノスザールな単一義歯移植の実施形態の一例を示す、右側の図に示す平面に沿った長軸方向の断面図である；
【図６】図６は、その左上部分の図は、本願発明に係る上記エノスザールな単一義歯移植の好適な基体の実施形態の一例を示す、右側の図に示す平面に沿った長軸方向の断面図であり、その下方部分の図は、上方から見た上記基体の平面図である；
【図７】図７は、図６の上記基体に適合する上記単一義歯移植における隣接部の実施形態の一例を上方向から示す、図６に対応する図、並びに、上記隣接部を上方から見た図（下の図）及び下方から見た図（上の図）に加えて、前の図に対して直角の平面における長手方向の断面図である；
【図８】図８は、上記単一義歯移植における隣接部の図７に示す実施形態の一例の変形態様を示す、図６に対応する図、並びに、上記隣接部を上方から見た平面図（下の図）及び下方から見た平面図（上の図）に加えて、前の図に対して直角の平面における長手方向の断面図である；
【図９】図９は、本願発明に係るエノスザールな単一義歯移植の実施形態の好適な一例を示す、右側の図に示す平面に沿った長軸方向の断面図である；
【図１０】図１０は、本願発明に係るエノスザールな単一義歯移植の実施形態の好適な他の一例を示す、右側の図に示す平面に沿った長軸方向の断面図である；
【図１１】図１１は、ねじ込み式工具の実施形態の一例を示す、右側の図に示す平面に沿った長軸方向の断面図であり、上方部分の図は、上記ねじ込み式工具を下方から見た平面図である。
【発明を実施するための形態】
【００４７】
図１に示す様に、図１に示す実施形態の一例における単一義歯移植は、図１の下側の図に示す様に先端部が閉じられ、かつ、図１の上側の図に示す様に冠状の端部に向かって開くと共に、止まり穴１２の先端部近傍に内側のねじ山１４を有する止まり穴１２を有する基体１０を有する。留めねじ７０は、図示しないが、上記内側のねじ山内に螺合することができる。内側のねじ山１４よりも内径の大きい中が空洞の円筒形状の環状凹部１６は、基体１０の内側のねじ山１４と冠状方向に隣接する。図示された態様では、環状凹部１６は、３つの部分（１８；２０；２２）を有する。
【００４８】
環状凹部１６は、内側のねじ山１４に冠状方向に接触する誘導部１８を有する。適合部２０は、環状凹部１６の誘導部１８と冠状方向に隣接する。適合部２０は、図１に示す実施形態の態様において、半径方向に内側へ向かう３つのトングバー２６と共に、誘導部１８及び円錐形状の内側壁に対して冠状方向に増加する内径を有する。トングバー２６は、溝及びトングが接続した状態で、隣接部５０上の適合溝５２に合致する様に構成され、トングバー２６が適合部２０の軸の全長に渡って延在する様に、その大きさが決定されるものとしてもよい。トングバー２６は、機械加工により、上記基体の外部に形成されるものとしてもよい。しかしながら、適合部２０において、ピン２４が、上記円周の周りに均等に分布する様に、軸方向の保持用溝穿孔内に保持されるという点において、トングバー２６を効果的に形成することも可能である。このため、保持用溝穿孔は、誘導部１８の壁３２内に止まり穴を有し、かつ、適合部２０内に保持用溝を有する。ピン２４の各々は、例えば円筒形状のピンとして、上記保持用溝穿孔に合致する横断面と共に、誘導部１９の壁３２内の上記保持用溝穿孔の止まり穴内へ挿入可能である。また、ピン２４の各々は、隣接部５０の適合溝５２に対応する内側に向けられたトングバー２６が形成される様に、保持用溝により半径方向に部分的に囲まれる適合部２０内に保持可能である。ピンの深さは、好適には、端部２２及び誘導部１８の半径間における差またはその半分に対し、少ない隙間で対応する。このため、隣接部５０を基体１０内へ挿入する時であっても、好適には上記円周の周りに均等に分布する３つまたは４つのピン２４間の誘導部１８による誘導が可能である。
【００４９】
端部２２は、冠状の先端２８を有する適合部２０と、冠状方向に接触する。端部２２は、隣接部５０の端部５８の外径に対応する内側の壁を有する。端部２２では、適合部２０に面する領域上に、上記隣接部上に設けられたカラー（襟部）が接触可能なバンド（ひも）が設けられるものとしてもよい。また、上記隣接部を停止する高さとして、上記隣接部の密閉カラー６０のために、先端２８が予想可能である。
【００５０】
図１では、適合部２０において、３つの凹部３０がねじ込み式要素として設けられており、該ねじ込み式要素においては、図６に示すねじ込み式工具８０の対応するねじ込み式要素８２は、基体１０を上記顎骨内にねじ込む際に係合可能となる。
【００５１】
基体１０は、空洞の機械的な加工により簡易に製造可能である。このため、トングバーは、基体１０の適合部２０において保持用溝穿孔内にそれぞれ配置される円筒形状のピン２４として設計することが効果的である。上記適合部を製造する前に、穿孔は、基体１０の誘導部１８内の壁３２の位置まで、止まり穴１２と同軸上に開けることができる。また、上記穿孔は、勾配付きのカッターを用いた適合部２０のフライス加工により、適合部２０及び壁３２内に、保持用溝穿孔として形成することができる。
【００５２】
製造工程では、円筒形状のピンを用いることが有益であるが、正多角形または非正多角形の横断面を有するピン、並びに該ピンに適合する横断面及び適合溝５２を有する保持用溝穿孔を用いることもできる。
【００５３】
図２に示す隣接部５０は、固定ヘッド６６を介して、不図示の固定された歯科用補綴物を固定するために用いる。隣接部５０の使用位置は、基体１０の先端２８上に取り付け可能な密閉カラー６０の下であり、頂点位においては、隣接部５０は、端部５８、適合部５６、及び誘導部５４内に、例えばＯリングの様な不図示の密閉手段を収容するための不図示の円周に沿った溝を形成可能な端部５８を有する。適合部５６には、軸方向に延在する適合溝５２が、上記基体の適合部２０内のトングバー２６に対応する形状及び配置により、多数設けられる。但し、適合溝５２の数については、必ずしもトングバー２６に対応する必要はない。
【００５４】
その内径が、図２に不図示の留めねじ［図５の（７０）］の外径に略一致する、長軸方向の穿孔を有する隣接部５０を基体１０内に挿入する際、誘導部５４は、環状凹部１６の誘導部１８内に係合する。誘導部５４の滑らかな円筒形状の外装面は、基体１０の誘導部１８の内側の円筒形状の外装面に接触する。
【００５５】
隣接部５０の端部５８は、基体１０の端部２２内にぴったり合う様に配置することができる。トングバー２６は適合溝５２内に係合する一方、密閉カラー６０は先端２８に接触する。この様にして、隣接部５０は、回転しない様に、確実にかつぴったりと基体１０に固定される。
【００５６】
隣接部５０は、隣接部５０を横断すると共に、基体１０の内側のねじ山１４内に螺合可能な留めねじ７０を用いて、基体１０に確実に接続することができる。隣接部５０を基体１０から容易に取り外し可能とするために、上記隣接部を横断する穿孔内に、図２に不図示の内側のねじ山が設けられるものとしてもよい。該ねじ山は、上記留めねじの取り外し後に、外側のねじ山を有する不図示のインプレッションポストを螺合可能である。該インプレッションポストは、上記基体の内側のねじ山１４上の先端部により支持される。上記インプレッションポスト内に内側のねじ山をねじ込むと、隣接部５０は、基体１０から外へ冠状方向に抜け出し、取り外し可能となる。
【００５７】
基体１０及び隣接部５０の分割または分割比に依存して、隣接部５０は、異なる回転位置において、基体１０内に挿入することができる。上記異なる回転位置は、例えば、３０°、４５°、６０°、９０°、１２０°、または１８０°毎に分割された角度であり、これらの角度により、施術医師は、利用可能な構成の選択肢を多数もつことができる。隣接適合要素５２の数は、好適には、基体適合要素２６の数よりも多くてもよい。このため、本願発明によれば、基体１０内のピンとして２つのトングバー２６を有し、かつ、隣接部５０上に２、４、６、８、１０若しくは１２個の適合溝５２を有する実施形態、または、特別に、基体１９内のピン２４として３つのトングバー２６を有し、かつ、隣接部５０上に３、６、９若しくは１２個の適合溝５２を有する実施形態が効果的である。
【００５８】
適合部５６において、図３に示す実施形態の態様は、図２に示す隣接部５０の態様に対して追加的に、図３の実施形態の例に従い、ピン２４として示される、基体１０のトングバー２６のための支持カラー６２を有する。隣接部５０を基体１０内に挿入する際、本実施形態ではピン２４としてのトングバー２６は、冠状の端部を用いて、少なくとも部分的に支持カラー６２上に載るものとしてもよい。支持カラー６２の幅は、ピン２４の半径に略一致するものとしてもよい。トングバー２６は、移植作業者の行う上記隣接部の半径方向への位置合わせ用の適合溝５２内に、回転により係合する。このため、本実施形態の態様では、隣接部５０上の適合溝５２は、基体１０上のトングバーよりも短くてもよい。
【００５９】
図２に示すカラー（６０）の代わりに、図４に示す実施形態の態様に係る隣接部は、隣接部５０上に、円錐形状のバンド６４を有する。本実施形態の態様では、基体１０の端部２２の先端２８において相補う円錐形状の構成を有する隣接部５０は、基体１０及び隣接部５０間が密閉状態で接触する様に、円錐形状の領域内に配置することができる。図４に示す実施形態の態様、並びに図２及び図３に示す隣接部の実施形態の双方においては、上記基体及び隣接部の適合部（２２、５６）内の円錐形状の面が接触する前に上記密閉部が接触し、これにより、適合要素は相互に係合するが上記円錐形状の面は依然として接触していない状態となる様に、上記適合部内に少ない隙間が存在することが好ましい。
【００６０】
図５の平面図は、右側において、上記隣接部の穿孔内に挿入されるが上記基体内には依然螺合されない留めねじ７０を用いて、基体１０内に挿入される隣接部５０を示す。また、図５の左側の図は、本願発明に係るエノスザールな単一義歯移植の実施形態の一例を、基体１０のねじ山１４内に螺合可能な基体１０、隣接部５０、及び留めねじ７２と共に示す、右側の平面図内に示す平面に沿った長軸方向の断面図である。上記基体または円錐形状のバンド６４の密閉カラー６０の領域においては、上記隣接部及び／または上記基体の外側上に、少なくとも１つの印／指標（マーク／インデックス）を設けることができる。該印／指標は、上記移植作業者による上記構成要素の位置合わせを、より容易にすると共に、上記適合要素の位置を示す。
【００６１】
図６に示す様に、図６に示す実施形態の一例に係る単一義歯移植は、図１に示す先端部において閉じられる基体１０を有し、底部において、図１の冠状端部に向かって開く止まり穴１２を有し、頂部において、止まり穴１２の先端部に近接する内側のねじ山１４を有する。図１には不図示の留めねじ７０は、上記内側のねじ山内に螺合することができる。内側のねじ山１４よりも内径の大きい中が空洞の円筒形状の環状凹部１６は、基体１０の内側のねじ山１４と、冠状方向に接触する。図６に示す態様の環状凹部１６は、３つの部分（１８；２０；２２）を有する。
【００６２】
環状凹部１６は、内側のねじ山１４に冠状方向に接触する誘導部１８を有する。適合部２０は、環状凹部１６の誘導部１８と冠状方向に隣接する。適合部２０は、図１に示す実施形態の態様において、半径方向に内側へ向かう３つのトングバー２６と共に、誘導部１８及び円錐形状の内側壁に対して冠状方向に増加する内径を有する。トングバー２６は、溝及びトングが接続した状態で、隣接部５０上の適合溝５２に合致する様に構成され、トングバー２６が適合部２０の軸の全長に渡って延在する様に、その大きさが決定されるものとしてもよい。トングバー２６は、機械加工または電気化学加工により、上記基体の外部に形成されるものとしてもよい。
【００６３】
図６では、適合部２０において、３つの内部エッジ面３０がねじ込み式要素として設けられており、該ねじ込み式要素においては、対応する外部エッジ面８２は、図６に示すねじ込み式工具８０上のねじ込み式要素として、基体１０を上記顎骨内にねじ込む際に係合可能となる。機械的かつ幾何学的な理由により、基体１０上の３つの内部エッジ面を用いることは有益であるが、４つまたは６つの内部エッジ面を設けるものとしてもよい。該内部エッジ面上において、上記基体１０及び隣接部上の適合要素が、隣接部５０の挿入時に、確実に係合可能な限りは、上記外部エッジ面は、ねじ込み式工具８０のねじ込み式要素８２として係合する。
【００６４】
図２と同様に、図７に示す隣接部５０は、固定ヘッド６６を介して、不図示の固定された歯科用補綴物を固定するために用いる。隣接部５０の使用位置は、基体１０の先端上に取り付け可能な密閉カラー６０の下であり、頂点位においては、隣接部５０は、端部５８、適合部５６、及び誘導部５４内に、例えばＯリングの様な不図示の密閉手段を収容するための不図示の円周に沿った溝を形成可能な端部５８を有する。適合部５６には、軸方向に延在する適合溝５２が、基体１０の適合部２０内のトングバー２６に対応する形状及び配置により、多数設けられる。但し、適合溝５２の数については、必ずしもトングバー２６に対応する必要はない。上記挿入状態では、適合溝５２は、トングバー２６と係合しているのに対し、基体１０上のねじ込み式要素３０は、隣接部５０と接触していない。
【００６５】
その内径が、図２に不図示の留めねじ［図５または図９の（７０）］の外径に略一致する、長軸方向の穿孔を有する隣接部５０を基体１０内に挿入する際、誘導部５４は、環状凹部１６の誘導部１８内に係合する。誘導部５４の滑らかな円筒形状の外装面は、基体１０の誘導部１８の内側の円筒形状の外装面に接触する。
【００６６】
隣接部５０の端部５８は、基体１０の端部２２内にぴったり適合することができる。トングバー２６は適合溝５２内に係合する一方、密閉カラー６０は先端２８に接触する。この様にして、隣接部５０は、回転しない様に、確実にかつぴったりと基体１０に固定される。
【００６７】
隣接部５０は、隣接部５０を横断すると共に、基体１０の内側のねじ山１４内に螺合可能な留めねじ７０を用いて、基体１０に確実に接続することができる。隣接部５０を基体１０から容易に取り外し可能とするために、上記隣接部を横断する穿孔内に、図２に不図示の内側のねじ山が設けられるものとしてもよい。該ねじ山は、上記留めねじの取り外し後に、外側のねじ山を有する不図示のインプレッションポストを螺合可能である。該インプレッションポストは、上記基体の内側のねじ山１４上の先端部により支持される。上記インプレッションポスト内に内側のねじ山をねじ込むと、隣接部５０は、基体１０から外へ冠状方向に抜け出し、取り外し可能となる。
【００６８】
図７に示すカラー６０の代わりに図８に示す固定ヘッド５６を有する隣接部５０の実施形態の態様は、隣接部５０上の適合部５６及び端部５８間を移動する円錐形状のバンド６８を有する。本実施形態の態様では、隣接部５０は、図７の実施形態の態様の様に、基体１０の先端２８上のカラー６０によっては保持されないが、図１０に示す様な基体１０の対応する円錐形状部分上の円錐形状のバンド６８により支持される。本実施形態では、好適には、端部５８内に、例えば、不図示のＯリング等の密閉手段を収容するための、不図示の円周に沿った溝が形成されるものとしてもよい。基体１０の先端２８または隣接部５０の密閉カラー６０の領域においては、個々の構成要素の図に示す様に、各構成要素の外側上に、少なくとも１つの印／指標が設けられるものとしてもよい。該印／指標は、上記移植作業者による上記構成要素の位置合わせを、より容易にすると共に、上記適合要素の位置を示す。
【００６９】
図９の平面図は、右側において、上記隣接部の穿孔内に挿入されるが上記基体内には依然螺合されない留めねじ７０を用いて、基体１０内に挿入されると共に、図７に示す様に固定ヘッド５６及び密閉カラー６０を有する隣接部５０を示す。また、図９の左側の図は、本願発明に係るエノスザールな単一義歯移植の実施形態の一例を、基体１０のねじ山１４内に螺合可能な基体１０、隣接部５０、及び留めねじ７２と共に示す、右側の平面図内に示す平面に沿った長軸方向の断面図である。基体１０の先端２８または隣接部５０の密閉カラー６０の領域においては、個々の構成要素の図に示す様に、各構成要素の外側上に、少なくとも１つの印/指標が設けられるものとしてもよい。該印／指標は、上記移植作業者による上記構成要素の位置合わせを、より容易にすると共に、上記適合要素の位置を示す。
【００７０】
図９と同様に、図１０の平面図は、右側において、上記隣接部の穿孔内に挿入されるが上記基体内には依然螺合されない留めねじ７０を用いて、基体１０内に挿入されると共に、図８に示す様に密閉カラー６０を有さない隣接部５０を示す。また、図１０の左側の図は、本願発明に係るエノスザールな単一義歯移植の実施形態の一例を、基体１０のねじ山１４内に螺合可能な基体１０、隣接部５０、及び留めねじ７２と共に示す、右側の平面図内に示す平面に沿った長軸方向の断面図である。基体１０の先端２８または隣接部５０の円錐形状の部分６５の領域においては、各構成要素の外側上に、少なくとも１つの印/指標が設けられるものとしてもよい。該印／指標は、上記移植作業者による上記構成要素の位置合わせを、より容易にすると共に、上記適合要素の位置を示す。本実施形態の態様では、隣接部５０は、基体１０の対応する部分上の円錐形状のバンド６８により支持される。本願発明に係る全ての本体においては、上記基体の外側上に、ひだ飾り（フルート）３４を設けることができる。ひだ飾り３４は、上記基体の先端部分を越えて延在し、かつ、上記隣接部を上記顎骨内にねじ込む際に発生し得る骨質の一部及び組織片の収集及び除去に用いられる。
【００７１】
図１１の平面図は、右側において、３つのねじ込み式要素を有する基体内に挿入可能なねじ込み式工具８０を示す。上記３つのねじ込み式要素は、例えば、外側の多角面またはノーズ／カム８２、基体１０を上記顎骨内にねじ込む際に基体１９の端部２２内において誘導されるツール誘導部８４、及びソケットレンチまたはアングルピースを適用可能な六角形８６である。また、ねじ込み式工具の上、例えば、ツール誘導部８４の上端には、外側部分に、少なくとも１つの印／指標を設けることができる。該印／指標は、上記移植作業者によるねじ込み式工具８０の上記基体への位置合わせを、より容易にすると共に、外側の多角面８２の位置に加えて、基体１０内のトングバー２６の位置を示す。基体１０からのツール８０の取り外しを容易にするため、ツール８０が万一傾斜している場合には、ねじ込み式工具８０を横断する穿孔８８内に、図１０には不図示の内側ねじ山が、設けられるものとしてもよい。該内側ねじ山は、上記留めねじを取り外した後に、外側のねじ山を有する不図示のインプレッションポストを螺合可能である。該インプレッションポストは、上記基体の内側のねじ山１４上の先端部により支持される。上記インプレッションポスト内に内側のねじ山をねじ込むと、ツール８０は、基体１０から外へ冠状方向に抜け出し、取り外し可能となる。
【符号の説明】
【００７２】
１０  基体
１２  止まり穴
１４  内側のねじ山
１６  環状凹部
１８  誘導部
２０  適合部
２２  端部
２４  ピン
２６  トングバー
２８  先端
３０  ねじ込み式要素／凹部／内部エッジ面
３２  壁
３４  ひだ飾り
５０  隣接部
５２  適合溝
５４  誘導部
５６  適合部
５８  端部
６０  密閉カラー
６２  支持カラー
６４  円錐状のバンド
６５  円錐形状の部分
６６  固定ヘッド
６８  円錐状のバンド
７０  留めねじ
７２  ねじ山
８０  ねじ込み後部
８２  ねじ込み式要素／多角面
８４  ツール誘導部
８６  六角形
８８  穿孔
【図１】
0006566955.tif 000002
【図２】
0006566955.tif 000003
【図３】
0006566955.tif 000004
【図４】
0006566955.tif 000005
【図５】
0006566955.tif 000006
【図６】
0006566955.tif 000007
【図７】
0006566955.tif 000008
【図８】
0006566955.tif 000009
【図９】
0006566955.tif 000010
【図１０】
0006566955.tif 000011
【図１１】
0006566955.tif 000012